(57)【特許請求の範囲】
【請求項１】
少なくとも一面がメンブレインフィルムからなる液状化粧料貯留部を形成する内皮１０と、
前記内皮１０の外側面の全体又は一部を覆う多孔性のクッション材２０と、
前記内皮１０又は前記クッション材２０を覆い、外部のメイクアップ化粧料又は外部のバクテリアの浸透を遮断させる外皮３０と、
前記液状化粧料貯留部に貯留される液状化粧料４０と、
前記内皮１０の一部の内側面にコーティングされるコート膜５０とを含み、
前記内皮１０のメンブレインフィルムは、ポアサイズが０．０２５〜０．２μｍである多孔性であり、貯留された液状化粧料を、所定の加圧力（Ｆ）により、前記メンブレインフィルムの数多い気孔を介して外部に吐出させることを特徴とするメンブレインフィルムを用いた化粧用パフ。
【請求項２】
前記メンブレインフィルムは、親水性材質又は疎水性材質であることを特徴とする請求項１に記載のメンブレインフィルムを用いた化粧用パフ。
【請求項３】
前記メンブレインフィルムは、親水性材質として、再生セルロース、ニトロセルロース、酢酸セルロース、ポリビニルアルコール、及びポリアミド、ガラス、及び酸化アルミニウム（アルミナ）より選ばれたいずれか１つであることを特徴とする請求項１又は請求項２に記載のメンブレインフィルムを用いた化粧用パフ。
【請求項４】
前記親水性材質のメンブレインフィルムの厚さは、０．０１〜０．２４ｍｍであることを特徴とする請求項３に記載のメンブレインフィルムを用いた化粧用パフ。
【請求項５】
前記親水性材質のメンブレインフィルムの空気透過性は、０．１〜１．２ｃｆｍであることを特徴とする請求項３に記載のメンブレインフィルムを用いた化粧用パフ。
【請求項６】
前記メンブレインフィルムは、疎水性材質として、ポリエチレン、ポリスルホン、ポリスチレン、ポリプロピレン、ポリエチレンテレフタルレート（ＰＥＴ）、ポリフッ化ビニリデン（ＰＶＤＦ）、ポリテトラフルオロエチレン（ＰＴＦＥ）、ポリ塩化ビニル、ポリエステル、アセテート、トリアセテート、ポリメチルメタクリレート（ＰＭＭＡ）、及びナイロンより選ばれたいずれか１つであることを特徴とする請求項１又は請求項２に記載のメンブレインフィルムを用いた化粧用パフ。
【請求項７】
前記疎水性材質のメンブレインフィルムの厚さは、０．００１〜０．０２ｍｍであることを特徴とする請求項６に記載のメンブレインフィルムを用いた化粧用パフ。
【請求項８】
前記疎水性材質のメンブレインフィルムの空気透過性は、０．１〜１．４ｃｆｍであることを特徴とする請求項６に記載のメンブレインフィルムを用いた化粧用パフ。
【請求項９】
前記内皮１０は、内皮上面１０ａと内皮下面１０ｂとに分けられ、
前記内皮上面１０ａは、メンブレインフィルムからなり、前記内皮下面１０ｂは、指によって加圧される面に対応する面であり、貯留された液状化粧料が指方へ吐出しないように、内皮下面１０ｂの内側面に前記コート膜５０を形成して、防水コーティング処理を行うか、前記内皮下面１０ｂ自体を防水材質で形成することを特徴とする請求項１に記載のメンブレインフィルムを用いた化粧用パフ。
【請求項１０】
前記外皮３０は、液状化粧料は通過させ、外部からのメイクアップ化粧料やバクテリアの浸透を遮断させるルビーセル材質又はＮＢＲ材質であることを特徴とする請求項１に記載のメンブレインフィルムを用いた化粧用パフ。
【請求項１１】
前記液状化粧料貯留部に貯留される液状化粧料４０は、皮膚に水分と栄養を供給して保湿効果を与えるエッセンスや、化粧水、又は植物性及び動物性オイルのいずれか１つ、又は、これらが混合した液状化粧料であることを特徴とする請求項１に記載のメンブレインフィルムを用いた化粧用パフ。
【請求項１２】
メンブレインフィルムからなる内皮上面１０ａと、コート膜５０がコーティングされた下部外皮３０ｂとが、液状化粧料貯留部を形成し、
多孔性の上部クッション材２０ａが前記内皮上面１０ａの外側面を覆い、上部外皮３０ａが前記上部クッション材２０ａを覆い、
前記液状化粧料貯留部に液状化粧料４０が貯留されて、
前記メンブレインフィルムは、ポアサイズが０．０２５〜０．２μｍである多孔性であり、貯留された液状化粧料を、所定の加圧力（Ｆ）により、前記メンブレインフィルムの数多い気孔を介して外部に吐出させることを特徴とするメンブレインフィルムを用いた化粧用パフ。
【請求項１３】
メンブレインフィルムからなる内皮上面１０ａと、コート膜５０がコーティングされた下部外皮３０ｂとが、液状化粧料貯留部を形成し、
上部外皮３０ａが前記内皮上面１０ａの外側面を覆い、
前記液状化粧料貯留部に液状化粧料４０が貯留されて、
前記メンブレインフィルムは、ポアサイズが０．０２５〜０．２μｍである多孔性であり、貯留された液状化粧料を、所定の加圧力（Ｆ）により、前記メンブレインフィルムの数多い気孔を介して外部に吐出させることを特徴とするメンブレインフィルムを用いた化粧用パフ。
【請求項１４】
（Ｓ１）  内皮１０の少なくとも一面がメンブレインフィルムからなる液状化粧料貯留部を形成するステップと、
（Ｓ２）  前記液状化粧料貯留部内に液状化粧料を充填するステップと、
（Ｓ３）  前記内皮１０の外側面の全体又は内皮上面１０ａを多孔性のクッション材２０で覆うステップと、
（Ｓ４）  前記内皮１０又は前記クッション材２０の外側面を外皮３０で覆うステップとを含み、
前記メンブレインフィルムは、ポアサイズが０．０２５〜０．２μｍである多孔性であり、貯留された液状化粧料を、所定の加圧力（Ｆ）により、前記メンブレインフィルムの数多い気孔を介して外部に吐出させ、
前記外皮３０は、液状化粧料を通過させ、外部のメイクアップ化粧料又はバクテリアの浸透を遮断させることを特徴とするメンブレインフィルムを用いた化粧用パフの製作方法。
【発明の詳細な説明】
【技術分野】
【０００１】
本発明は、メンブレインフィルムを用いた化粧用パフに関し、詳しくは、フィルター役割を果たすメンブレインフィルムを用いて、エッセンス、化粧水、及びオイルなどの液状化粧料を内蔵したパフを製作することにより、使用時の圧力だけで、液状化粧料がパフの外に吐出して、皮膚保湿及び収斂効果を与えることができ、パフが皮膚の保湿成分を吸収して皮膚を乾燥させることを防止し、且つ、外部の内容物又はバクテリアが内部に浸透することを防止するメンブレインフィルムを用いた化粧用パフ製作方法、及びこれを用いて製造された化粧用パフに関する。
【背景技術】
【０００２】
一般に、化粧料は、機能により、基礎化粧品、メイクアップ化粧品などに区分され、該当化粧料は、状態によって、クリーム、粉末、液状に区分され、各状態に合う容器に保管される。
【０００３】
この際、メイクアップベースとして用いられるファンデーションのような色調化粧料を、顔や皮膚にまんべんなく密着して塗るために用いるものが化粧用パフ（ｐｕｆｆ）である。
【０００４】
このようなパフは、綿、スポンジ、発泡ＮＢＲ、ポリエステル、ナイロン、アクリル、又はアセテートからなり、弾力性のパッドタイプであって、一般に、化粧品容器と共に収納される。このように、化粧品容器に収納されたパフを用いて化粧する際は、パフが収納された化粧品容器からパフを取出し、パフの底面に化粧料をつけて使用することになる。
【０００５】
しかし、このように、パフに化粧料をつけて皮膚にまんべんなく塗るとき、パフは、化粧料及び皮膚の保湿成分を吸収して、皮膚を乾燥させることがある。
【０００６】
また、粉末状の化粧料は、長時間大気中に晒されると、粉末に含有されたオイルや水分が大気中に蒸発して、化粧料がパフに付け難いことで、化粧料を皮膚に均一に塗ることができないという問題もある。
【０００７】
前記のような問題点を解決するために、実用新案登録番号第２０−０４５６８２９号には、クッション体の内部に液体を貯留した液体貯留部が形成され、液体貯留部の一面には、外皮に向けて液体を吐出させる吐出口と、漏れ防止膜が形成され、液体貯留部がバネ復元力を有するゴム又は合成樹脂のいずれか１つからなり、液体貯蔵部を加圧することによって、液体が吐出口を介して排出するように形成されたパフを開示している。
【０００８】
しかし、前記のような吐出口と漏れ防止膜の構造は、内部液体がスムーズに吐出されないという不都合があり、これを改善した吐出口の開閉を調節するスクリュー構造は、その構造が複雑であり、パフが容易に代替可能な代替品であることに鑑みると、非経済的であり、且つ使い勝手の悪いという問題点がある。
【０００９】
また、内部液体化粧料のため濡らされたパフ部分を通じて、外部からバクテリアがパフに寄生するか、内部液体貯留部まで浸透することを防止できないという不都合がある。  
【先行技術文献】
【特許文献】
【００１０】
特許文献１：大韓民国実用新案登録公報第２０−０４５６８２９号
【発明の概要】
【発明が解決しようとする課題】
【００１１】
本発明は、前記のような問題点を解決するためになされたものであって、本発明の目的は、フィルター役割を果たすメンブレインフィルムを用いて、エッセンス、化粧水、及びオイルなどの液状化粧料を内蔵したパフを製作することにより、使用時の圧力だけで、液状化粧料がパフの外に吐出されて、皮膚保湿及び収斂効果を与えることができ、パフが皮膚の保湿成分を吸収して皮膚を乾燥させることを防止し、且つ、外部の内容物又はバクテリアが内部に浸透することを防止するメンブレインフィルムを用いた化粧用パフ製作方法、及びこれを用いて製造された化粧用パフを提供することである。
【課題を解決するための手段】
【００１２】
上述した問題を解決するために、本発明によるメンブレインフィルムを用いた化粧用パフは、少なくとも一面がメンブレインフィルムからなる液状化粧料貯留部を形成する内皮１０と、前記内皮１０の外側面の全体又は一部を覆う多孔性のクッション材２０と、前記内皮１０又は前記クッション材２０を覆い、外部のメイクアップ化粧料又は外部のバクテリアの浸透を遮断させる外皮３０と、前記液状化粧料貯留部に貯留される液状化粧料４０と、前記内皮１０の一部の内側面にコーティングされるコート膜５０とを含み、戦記内皮１０のメンブレインフィルムは、ポアサイズが０．０２５〜０．２μｍである多孔性であり、貯留された液状化粧料を、所定の加圧力（Ｆ）により、前記メンブレインフィルムの数多い気孔を介して外部に吐出させることを特徴とする。
【００１４】
前記メンブレインフィルムは、親水性材質又は疎水性材質である。
【００１５】
前記メンブレインフィルムは、親水性材質として、再生セルロース、ニトロセルロース、酢酸セルロース、ポリビニルアルコール、及びポリアミド、ガラス、及び酸化アルミニウム（アルミナ）より選ばれたいずれか１つである。
【００１６】
前記親水性材質のメンブレインフィルムの厚さは、０．０１〜０．２４ｍｍである。
【００１７】
前記親水性材質のメンブレインフィルムの空気透過性は、０．１〜１．２ｃｆｍである。
【００１８】
前記メンブレインフィルムは、疎水性材質として、ポリエチレン、ポリスルホン、ポリスチレン、ポリプロピレン、ポリエチレンテレフタルレート（PET）、ポリフッ化ビニリデン（PVDF）、ポリテトラフルオロエチレン（PTFE）、ポリ塩化ビニル、ポリエステル、アセテート、トリアセテート、ポリメチルメタクリレート（PMMA）、及びナイロンより選ばれたいずれか１つである。
【００１９】
前記疎水性材質のメンブレインフィルムの厚さは、０．００１〜０．０２ｍｍである。
【００２０】
前記疎水性材質のメンブレインフィルムの空気透過性は、０．１〜１．４ｃｆｍである。
【００２２】
前記内皮１０は、内皮上面１０ａと内皮下面１０ｂとに分けられ、前記内皮上面１０ａは、メンブレインフィルムからなり、前記内皮下面１０ｂは、指によって加圧される面に対応する面であり、貯留された液状化粧料が指方へ吐出しないように、内皮下面１０ｂの内側面に前記コート膜５０を形成して、防水コーティング処理を行うか、前記内皮下面１０ｂ自体を防水材質で形成する。
【００２３】
前記外皮３０は、液状化粧料は通過させ、外部からのメイクアップ化粧料やバクテリアの浸透を遮断させるルビーセル材質又はＮＢＲ材質である。
【００２４】
前記液状化粧料貯留部に貯留される液状化粧料４０は、皮膚に水分と栄養を供給して保湿効果を与えるエッセンスや、化粧水、又は植物性及び動物性オイルのいずれか１つ、又は、これらが混合した液状化粧料である。
【００２５】
また、本発明によるメンブレインフィルムを用いた化粧用パフは、メンブレインフィルムからなる内皮上面１０ａと、コート膜５０がコーティングされた下部外皮３０ｂとが、液状化粧料貯留部を形成し、多孔性の上部クッション材２０ａが前記内皮上面１０ａの外側面を覆い、上部外皮３０ａが前記上部クッション材２０ａを覆い、前記液状化粧料貯留部に液状化粧料４０が貯留されて、前記メンブレインフィルムは、ポアサイズが０．０２５〜０．２μｍである多孔性であり、貯留された液状化粧料を、所定の加圧力（Ｆ）により、前記メンブレインフィルムの数多い気孔を介して外部に吐出させることを特徴とする。
【００２６】
さらに、本発明によるメンブレインフィルムを用いた化粧用パフは、メンブレインフィルムからなる内皮上面１０ａと、コート膜５０がコーティングされた下部外皮３０ｂとが、液状化粧料貯留部を形成し、上部外皮３０ａが前記内皮上面１０ａの外側面を覆い、前記液状化粧料貯留部に液状化粧料４０が貯留されて、前記メンブレインフィルムは、ポアサイズが０．０２５〜０．２μｍである多孔性であり、貯留された液状化粧料を、所定の加圧力（Ｆ）により、前記メンブレインフィルムの数多い気孔を介して外部に吐出させることを特徴とする。
【００２７】
なお、本発明によるメンブレインフィルムを用いた化粧用パフの制作方法は、（Ｓ１）  内皮１０の少なくとも一面がメンブレインフィルムからなる液状化粧料貯留部を形成するステップと、（Ｓ２）  前記液状化粧料貯留部内に液状化粧料を充填するステップと、（Ｓ３）  前記内皮１０の外側面の全体又は内皮上面１０ａを多孔性のクッション材２０で覆うステップと、（Ｓ４）  前記内皮１０又は前記クッション材２０の外側面を外皮３０で覆うステップとを含み、前記メンブレインフィルムは、ポアサイズが０．０２５〜０．２μｍである多孔性であり、貯留された液状化粧料を、所定の加圧力（Ｆ）により、前記メンブレインフィルムの数多い気孔を介して外部に吐出させ、前記外皮３０は、液状化粧料を通過させ、外部のメイクアップ化粧料又はバクテリアの浸透を遮断させることを特徴とする。
【発明の効果】
【００２９】
本発明のメンブレインフィルムを用いて製作された化粧用パフは、使用時の圧力だけで、エッセンス、化粧水、及びオイルなどの液状化粧料がパフの外に吐出されて、皮膚保湿及び収斂効果を与え、皮膚を乾燥させることを防止し、且つ、外部の内容物又はバクテリアが内部に浸透することを防止する効果がある。
【００３０】
具体的に、液状化粧料は、通過させ、外部からメイクアップ化粧料又はバクテリアなどの浸透を遮断させる材質の外皮を用いることにより、外皮につけられたメイクアップ化粧料が顔皮膚により均一に密着して塗布されるようにし、外部から浸透するバクテリアなどを１次的に遮断することができる。
【００３１】
また、使用する外皮材質によって、メイクアップ化粧料又はバクテリアなどが外皮内に浸透しても、外皮内側に設けられたメイクアップ化粧料又はバクテリアなどのポアサイズより相対的に小さいポアサイズを有するメンブレインフィルムによって、メイクアップ化粧料又はバクテリアなどが液状化粧料貯留部まで浸透することを防止することができる。
【図面の簡単な説明】
【００３２】
【図１】図１は、本発明によるメンブレインフィルムを用いた化粧用パフを示す斜視図であって、貯留部の液状化粧料が外部に吐出されて、外皮がしっとりした状態を示す図である。
【図２】図２は、本発明によるメンブレインフィルムを用いた化粧用パフの好適な一実施例の一部断面図である。
【図３】図３は、本発明によるメンブレインフィルムを用いた化粧用パフの好適な一実施例の加圧力により、貯留部の液状化粧料が外部に吐出され、外部のバクテリアが浸透遮断されることを示す断面図である。
【図４】図４は、図３のメンブレインフィルムからなる内皮上面、上部クッション材、上部外皮の結合状態、及び化粧料の通過とバクテリア浸透の遮断を斜視図で示す図である。
【図５】図５の（ａ）、（ｂ）、（ｃ）は、本発明によるメンブレインフィルムを用いた化粧用パフの好適な実施例及び他の実施例を示す断面図である。
【図６】図６は、本発明によるメンブレインフィルムを用いた化粧用パフの製作フローチャートである。
【発明を実施するための形態】
【００３３】
以下では、添付の図面により、本発明の好適な実施例を詳しく説明する。
【００３４】
図１は、本発明によるメンブレインフィルムを用いた化粧用パフを示す斜視図であって、貯留部の液状化粧料が外部に吐出されて、外皮がしっとりした状態を示す図、図２は、本発明によるメンブレインフィルムを用いた化粧用パフの好適な一実施例の一部断面図、図３は、本発明によるメンブレインフィルムを用いた化粧用パフの好適な一実施例の加圧力により、貯留部の液状化粧料が外部に吐出され、外部のバクテリアが浸透遮断されることを示す断面図、図４は、図３のメンブレインフィルムからなる内皮上面、上部クッション材、上部外皮の結合状態、及び化粧料の通過とバクテリア浸透の遮断を斜視図で示す図、図５の（ａ）、（ｂ）、（ｃ）は、本発明によるメンブレインフィルムを用いた化粧用パフの好適な実施例及び他の実施例を示す断面図、図６は、本発明によるメンブレインフィルムを用いた化粧用パフの製作フローチャートである。
【００３５】
図１乃至図４、図５の（ａ）に示しているように、本発明の好適な実施例によるメンブレインフィルムを用いた化粧用パフ１は、少なくとも一面がメンブレインフィルムからなる液状化粧料貯留部を形成する内皮１０と、前記内皮１０の外側面の全体又は一部を覆う多孔性のクッション材２０と、前記内皮１０又はクッション材２０を覆い、外部よりバクテリアの浸透を遮断する外皮３０と、前記液状化粧料貯留部に貯留された液状化粧料４０と、前記内皮の内側面にコーティングされるコート膜５０とを含む。
【００３６】
内皮１０は、液状化粧料の貯留が可能であり、且つ、所定の加圧力（Ｆ）で、貯留された液状化粧料を外皮に吐出させるものであり、化粧水などの液状化粧料を貯留するために、丸形且つフラットの袋状であり、内皮上面１０ａと内皮下面１０ｂとに分けられる。ここで、顔皮膚に接触される面に対応する内皮の少なくとも一面、即ち、内皮上面１０ａを、メンブレインフィルムで形成する。
【００３７】
内皮１０の少なくとも一面をメンブレインフィルムで形成することは、貯留された液状化粧料を、所定の加圧力（Ｆ）により、メンブレインフィルムを介して外部に吐出させるためである。勿論、内皮上面１０ａと内皮下面１０ｂとをメンブレインフィルムで形成することもできる。
【００３８】
メンブレインフィルムの材質は、親水性又は疎水性材質であり、液状化粧料を選択的に通過させる材質であれば、特に制限はない。
【００３９】
ここで、親水性材質は、分子膜として、再生セルロース、ニトロセルロース(Nitrocellulose)、酢酸セルロース(Cellulose acetate)、ポリビニルアルコール(Polyvinyl alcohol)、及びポリアミド(Polyamide)が使用可能であり、セラミックス膜として、ガラス、酸化アルミニウム(アルミナ)が使用可能である。
【００４０】
このような親水性材質のメンブレインフィルムの厚さは、０．０１〜０．２４ｍｍ、望ましくは０．１２ｍｍであり、空気透過性(Air Permeability)は、０．１〜１．２ｃｆｍ、望ましくは０．６ｃｆｍ(cubic feet per minute)である。
【００４１】
また、疎水性材質として、ポリエチレン、ポリスルホン、ポリスチレン、ポリプロピレン、ポリエチレンテレフタルレート(PET)、ポリフッ化ビニリデン(PVDF)、ポリテトラフルオロエチレン(PTFE)、ポリ塩化ビニル、ポリエステル、アセテート、トリアセテート、ポリメチルメタクリレート(PMMA)、及びナイロンが使用可能である。 
【００４２】
このような疎水性材質のメンブレインフィルムの厚さは、０．００１〜０．０２ｍｍ、望ましくは０．０１ｍｍであり、空気透過性は、０．１〜１．４ｃｆｍ、望ましくは０．７ｃｆｍである。
【００４３】
一方、疎水性材質に、スルホン基又はカルボニル基の親水基を導入して、親水性で処理することもできる。疎水性材質に親水性を付与する方法として、親水性高分子層を物理的吸着又は化学的コーティングする方法、放射線又は低温プラズマを用いて、分離膜内に親水性セグメントを導入する方法、樹脂内に無機材料を添加する方法、親水性高分子又は両方の高分子を用いて、キャスト溶液内に配合させる方法が使用可能である。
【００４４】
メンブレインフィルムの数多い気孔の径、すなわち、ポアサイズは、略０．０２５〜０．２μｍであり、これよりも小サイズの液状化粧料は、使用者の加圧だけで、メンブレインフィルムを通してパフの外に吐出される。また、パフの外部に塗布される固形のメイクアップ化粧料や、パフに沈積されたメイクアップ化粧料又はバクテリアなどは、これよりもポアサイズが大きいため、パフの内部、望ましくは液状化粧料貯留部への浸透が防止される。このように、相対的に小サイズのポアを有するメンブレインフィルムを外皮の内側に設けることにより、メイクアップ化粧料又はバクテリアなどが、使用の外皮材質によって外皮の内部に浸透しても、メンブレインフィルムにより、液状化粧料貯留部まで浸透することを防止することになる。
【００４５】
また、内皮下面１０ｂは、指によって加圧される面に対応する面であり、貯留された液状化粧料が指方へ吐出されないように、内皮下面１０ｂの内側面にコート膜５０を設けて、防水コーティング処理を行うか、内皮下面１０ｂ自体を防水材質で形成する。
【００４６】
ここで、内皮上面１０ａと内皮下面１０ｂは、熱融着又は接着により密封することができる。
【００４７】
クッション材２０は、多孔性材質であって、上部クッション材２０ａと下部クッション材２０ｂとに分けられ、内皮１０の外側面の全体又は内皮上面１０ａを覆うように設けられる。このようにクッション材を設けることにより、メンブレインフィルムを通過した液状化粧料は、外皮に伝達されると共に、クッション材の弾性力により、外皮には、適量のメイクップ化粧料がつけられ、皮膚には、メイクアップ化粧料の塗布性がよくなって、密着力を高めることができる。
【００４８】
本発明では、クッション材２０（２０ａ、２０ｂ）を構成要素として説明しているが、外皮の材質により、省略してもよい。
【００４９】
外皮３０は、液状化粧料は通過させ、外部からのメイクアップ化粧料やバクテリアなどの浸透を遮断する材質であって、上部外皮３０ａと下部外皮３０ｂとに分けられ、内皮１０又はクッション材２０の外側面を覆うように設けられる。
【００５０】
外皮３０としては、ポリウレタンのような合成樹脂からなる抗菌力に優れているルビーセル(Rubycell)材質、又は連続気孔多孔質体からなるクッション感と衝撃吸収に優れ、オイルに対する抵抗性を有する耐油性のＮＢＲ(Nitrile Butadiene Rubber)材質が望ましい。 
【００５１】
このような外皮材質は、内部から吐出される液状化粧料を外部に貫通させるので、液状化粧料でしっとりした外皮は、外皮につけられたメイクアップ化粧料が顔皮膚により均一で密着して塗布されるようにし、外部から浸透するバクテリアなどを１次的に遮断させる。
【００５２】
外皮材質として、各種のラテックススポンジ、植毛(FLOCKING;Poly Urethane Flocked Foam)スポンジ、ＰＶＡ(Poly Vinyl Alcohol)スポンジ、ＳＢＲ(Styrene Butadiene Rubber)、ＮＲ(Natural Rubber)、又はＮＢＲ、ＳＢＲ、ＮＲ原料を混合してなるラテックス素材の気孔多孔質体も使用することができる。
【００５３】
液状化粧料貯留部に貯留された液状化粧料４０は、皮膚に水分と栄養を供給して、保湿効果を与えるエッセンスや化粧水、又は皮膚にやさしい植物性及び動物性オイルのいずれか１つ、又はこれらが混合した液状化粧料からなる。このような液状化粧料４０は、キサンタンガムやカルボマーのような増粘剤による分子間の凝集力によってゲル化状態に維持されるので、一定の圧力(Ｆ)で加圧しない場合は、メンブレインフィルムの外に吐出されなくなる。
【００５４】
外皮の外に吐出された液状化粧料は、メイクアップ化粧料の使用に際して、顔皮膚に水分などを供給する。
【００５５】
コート膜５０は、液状化粧料が吐出しない内皮１０の内側面にコーティングされるもので、加圧する指が位置する面に対応する内皮下面１０ｂの内側面にコーティングされる。これは、貯留された液状化粧料４０が、加圧する指が位置する方に吐出しないようにするためである。
【００５６】
ここで、コート液としては、ポリビニルピロリドン、ポリビニルアルコール、アクリレート・アクリルアミドコーポリマ、ロジン、ワックス、シリコン樹脂類より選ばれた１種以上のコート製剤を、精製水、アルコール、イソドデカン、ミネラルオイルの溶媒で溶解して製造されたコート液を使用することができるが、これに限るものではない。
【００５７】
図３及び図４における矢印ｐは、バクテリアなどが浸透しないことを示し、矢印ｔは、貯留された液状化粧料４０が、加圧力（Ｆ）により、メンブレインフィルム、クッション材、外皮の外に吐出されることを示している。
【００５８】
また、本発明の好適な他の実施例によるメンブレインフィルムを用いた化粧用パフ１は、図５の（ｂ）に示しているように、メンブレインフィルムからなる内皮上面１０ａと、コート膜５０がコーティングされた下部外皮３０ｂとが、液状化粧料貯留部を形成している。また、多孔性の上部クッション材２０ａが前記内皮上面１０ａの外側面を覆い、上部外皮３０ａが上部クッション材２０ａを覆っており、前記液状化粧料貯留部に液状化粧料４０が貯留される構成を有する。
【００５９】
また、本発明の好適な他の実施例によるメンブレインフィルムを用いた化粧用パフ１は、図５の（ｃ）に示しているように、メンブレインフィルムからなる内皮上面１０ａと、コート膜５０がコーティングされた下部外皮３０ｂとが、液状化粧料貯留部を形成し、上部外皮３０ａが前記内皮上面１０ａの外側面を覆い、前記液状化粧料貯留部に液状化粧料４０が貯留される構成を有する。
【００６０】
また、図６に示しているように、本発明の好適な実施例によるメンブレインフィルムを用いた化粧用パフ１の製作方法は、下記の通りである。
【００６１】
（Ｓ１）  内皮１０の少なくとも一面が、メンブレインフィルムからなる液状化粧料貯留部を形成するステップ
化粧水などの液状化粧料を貯留するために、丸形且つフラットな袋状の内皮１０で液状化粧料貯留部を形成し、顔皮膚に接触する面に対応する内皮上面１０ａを、メンブレインフィルムで構成する。
【００６２】
（Ｓ２）  液状化粧料貯留部内に液状化粧料を充填するステップ
メンブレインフィルムからなる内皮上面１０ａと、防水コーティング処理された内皮下面１０ｂとからなる液状化粧料貯留部内に、注射器や他の注入手段により、化粧水のような液状化粧料を注入する。注入部分は、バネ復元力に優れるゴム材質で形成するか、その他の様々な方法で密封処理することで、注入後の注入部分より、内部の液状化粧料が漏れない。
【００６３】
（Ｓ３）  内皮１０の外側面の全体又は内皮上面１０ａを多孔性のクッション材２０で覆うステップ
多孔性材質のクッション材２０で、内皮１０の外側面の全体又は内皮上面１０ａを覆うことにより、メンブレインフィルムを通過した液状化粧料が外皮に伝達されると共に、クッション材の弾性力によって、外皮に適量のメイクアップ化粧料がつけられるようにして、皮膚にはメイクアップ化粧料の塗布性を良くして密着力を高める。
【００６４】
（Ｓ４）  内皮１０又はクッション材２０の外側面を外皮３０で覆うステップ
内皮１０又はクッション材２０の外側面を、液状化粧料は通過させ、外部バクテリアの浸透を遮断する材質の外皮３０で覆う。
【００６５】
ここで、ルビーセル材質又はＮＢＲ材質からなる外皮が、内部より吐出される液状化粧料を外部に貫通させて含有しているので、液状化粧料によりしっとりした外皮は、外皮につけられたメイクアップ化粧料が顔皮膚に更に均一に密着して塗布されるようにし、また、外部から浸透するバクテリアなどは遮断させる。
【００６６】
また、化粧用パフは、平断面が円状であることを示しているが、これに限るものではなく、使用用途や趣向に合わせて、四角形、三角形、多角形、及び楕円形など、様々な形状で製作することができる。
【００６７】
更に、本発明による化粧用パフにおいては、メンブレインフィルムが内皮の全体又は内皮上面の全体を形成するように示しているが、これに限るものではなく、内皮上面の一定の範囲にのみ設けてもよい。
【００６８】
以上で本発明の実施例について詳細に説明したが、本発明の権利範囲は、これに限定されるものではなく、下記の請求範囲で定義している本発明の基本概念を用いた当業者の様々な変形及び改良形態も、本発明の権利範囲に属する。
【図１】
0006709854.tif 000002
【図２】
0006709854.tif 000003
【図３】
0006709854.tif 000004
【図４】
0006709854.tif 000005
【図５】
0006709854.tif 000006
【図６】
0006709854.tif 000007